(57)【要約】  本発明は、情報がデータベースに入力され、後にデータベースからアクセスされる態様を向上させるための改善されたユーザインターフェースを提供することに関する。例示的な実施形態は、面内を移動することが可能なフラットデジタルディスプレイの形態のオーバーレイを用いることに関する。ムーバブルディスプレイの位置は追跡され、ディスプレイ上に提示されるデジタルコンテンツは、文書上のディスプレイの特定の位置と相関させられる。この能力は、例えば、はるかに大きな画像を、その画像をナビゲートすることができる比較的小さな携帯用ディスプレイを用いて見ることができるようにするために活用されることができる。大きな画像は、ムーバブルディスプレイ上でアクセスされると、他の情報にリンクするために用いられ、かつ／または所望の機能を果たすための実行可能なコードにアクセスするために用いられる情報を任意選択で含んでいてもよい。
2005515479.tif 000002
【特許請求の範囲】
【請求項１】
ムーバブルディスプレイであって、
第１の面に対する前記ムーバブルディスプレイの移動を検出する手段と、
前記ムーバブルディスプレイの移動を、データベースに格納されている第１の画像の一部を表す情報に相関させ、該情報を前記ムーバブルディスプレイ上に提示する手段と、
を備えているムーバブルディスプレイ。
【請求項２】
前記検出手段が、前記ムーバブルディスプレイに含まれるトランスデューサである、請求項１に記載のムーバブルディスプレイ。
【請求項３】
前記トランスデューサが、前記ムーバブルディスプレイの移動を、格納されている画像上の位置変化に相関させるために用いられる、請求項２に記載のムーバブルディスプレイ。
【請求項４】
前記検出手段が、前記ムーバブルディスプレイの向きを検出するように構成されている、請求項１に記載のムーバブルディスプレイ。
【請求項５】
前記相関手段が、プロセッサおよび関連のメモリを備えている、請求項１に記載のムーバブルディスプレイ。
【請求項６】
前記データベースが、前記ムーバブルディスプレイに搭載されたメモリに格納されている、請求項５に記載のムーバブルディスプレイ。
【請求項７】
前記情報が、前記ムーバブルディスプレイから離れたデータベースに格納されている、請求項５に記載のムーバブルディスプレイ。
【請求項８】
前記ムーバブルディスプレイとは離れて格納されている前記情報が、有線リンクを介してアクセスされる、請求項７に記載のムーバブルディスプレイ。
【請求項９】
前記ムーバブルディスプレイとは離れて格納されている前記情報が、無線リンクを介してアクセスされる、請求項７に記載のムーバブルディスプレイ。
【請求項１０】
物理的文書に関連する情報を表示するための方法であって、
第１の面に対するムーバブルディスプレイの移動を検出するステップと、
前記ムーバブルディスプレイの移動を、データベースに格納されている第１の画像の一部を表す情報に相関させるステップと、
前記ムーバブルディスプレイ上に前記情報を提示するステップと、
を含む方法。
【請求項１１】
トランスデューサが、前記ムーバブルディスプレイの向きの変化を検出するために用いられる、請求項１０に記載の方法。
【請求項１２】
前記データベースが、前記ムーバブルディスプレイに搭載されたメモリに格納されている、請求項１０に記載の方法。
【請求項１３】
前記情報が、前記ムーバブルディスプレイから離れたデータベースに格納されている、請求項１０に記載の方法。
【請求項１４】
前記情報が、前記ムーバブルディスプレイとは離れて格納され、有線リンクを介してアクセスされる、請求項１０に記載の方法。
【請求項１５】
前記情報が、前記ムーバブルディスプレイとは離れて格納され、無線リンクを介してアクセスされる、請求項１０に記載の方法。
【請求項１６】
前記第１の画像が、前記ムーバブルディスプレイを用いて作動することが可能なキーボードの画像である、請求項１２に記載の方法。
【請求項１７】
前記第１の画像の第１の部分が、第１の解像度で表示され、前記第１の画像の第２の部分が、前記第１の解像度に対して低い解像度で表示される、請求項１０に記載の方法。
【発明の詳細な説明】
【技術分野】
【０００１】
本発明は、一般的には、第１のサイズよりも小さい第２のサイズの表示装置を用いて、第１のサイズの第１の画像を表す情報を表示することに関し、特に、情報入力およびアクセスを制御するためのムーバブル（movable）ユーザインターフェースとして、機能が限られたキーパッドを有する比較的な小さな表示装置を用いることに関する。
【背景技術】
【０００２】
入手可能な大半の製品は、ユーザがデータベースの情報を格納し、それにアクセスすることをさらに容易にすることを対象としている。しかし、これらの既知の技法は、キーボードまたはキーパッドに用いられ得るスペースが制限されているという、携帯情報端末（ＰＤＡ）などの装置にまつわる問題には取り組んでいない。通常、物理的文書からの情報は、デジタルデータベースにキー入力され、そこにアクセスして表示することができる。このキー入力およびそれに続くアクセスは、通常、１回に１文字を選択する従来のキーボードまたはせいぜい小さなホイールを用いて行なわれる。
【０００３】
物理的文書を予めデジタル化させ、ユーザがＰＤＡを用いて文書と電子的に対話することがきるようにするスキャナも知られている。ユーザは、デジタル文書を表示し、ＰＤＡディスプレイ上で表示された文書内をナビゲートすることは可能であるが、このようなナビゲーションは、ＰＤＡ上に設けられた制限された数の比較的小さなキーを用いなければならないという点でやや不十分である。あるいは、画像は、デスクトップまたはラップトップコンピュータのディスプレイ上に表示され、画像の側部に沿って表示されるソフトウェアボタンと対話することが可能なマウスを用いてナビゲートすることができる。
【０００４】
デジタル情報を格納し、それにアクセスするためのユーザインターフェースは数多く知られているが、例えば、ＰＤＡに設けられた比較的小さなディスプレイを用いて情報をデジタルデータベースにリモートで入力し、それにアクセスする方法をさらに簡単にすると共に向上させることが望まれている。
【発明の開示】
【０００５】
本発明は、データベースに情報を入力し、後にそのデータベースから情報にアクセスするための改善されたユーザインターフェースを提供することに関する。例示的な実施形態は、面内を移動することが可能なフラットディスプレイの使用を対象とする。ムーバブルディスプレイ（movable display）の移動は、ディスプレイ上に提示されるデジタルコンテンツが面上のディスプレイの移動に対応するように追跡される。この能力は、例えば、はるかに大きな画像を、その画像をナビゲートすることができる比較的小さな携帯用ディスプレイを用いてリモートで見ることができるようにするために活用される。大きな画像は、ムーバブルディスプレイ上でアクセスされると、他の情報にリンクするために用いられ、かつ／または所望の機能を果たすための実行可能なコードにアクセスするために用いられる情報を、任意選択で含んでいてもよい。
【０００６】
包括的には、本発明は、画像とインターフェースする装置およびそれに関連する方法に関する。例示的な実施形態によると、装置は、第１の面上のムーバブルディスプレイの移動を検出するための手段と、ムーバブルディスプレイの移動をデータベース内に格納されている第１の画像の一部を表す情報に相関させ、その情報をムーバブルディスプレイに提示するための手段とを備えたムーバブルディスプレイとして構成される。例示的な実施形態では、ユーザは、ムーバブルディスプレイに提示される第１の画像の一部と選択的に対話することができる。例えば、第１の画像がキーボードの画像（すなわち、仮想ソフトウェアまたは仮想キーボード）である場合、ムーバブルディスプレイは、キーボード内をナビゲートし、仮想キーボード上のキーを選択的に起動させるために用いられ得る。
【０００７】
これより、本発明を以下の図面に示される例示的な実施形態により説明する。
【発明を実施するための最良の形態】
【０００８】
図１Ａは、データベースに格納された、従来のキーボード（すべてのキーが示されているわけではない）を表す第１の画像を示す。図１Ｂは、本発明の例示的な実施形態に従って情報を表示するための、ムーバブルディスプレイ１００として示されている装置を示す。ムーバブルディスプレイ１００は、表示スクリーン１０２を有し、２０００年１２月２７日に提出された、「METHOD AND APPARATUS FOR VIRTUAL INTERACTION WITH PHYSICAL DOCUMENTS」（代理人整理番号第１０００３８７０／００４号）という名称の同時係属中の米国出願第  号に記載されているのと同様に構成することができる。この文献には、ヒューレットパッカード社からＪｏｒｎａｄａ（商標）５４０シリーズとして入手できる携帯用表示装置が記載されている。この表示スクリーン１０２は、ケースに収容されたフラットスクリーンであることができ、表示装置は、表示画像の倍率を拡大および／または縮小するためのサムホイールを備えることができる。このような特徴は、表示されるデジタル画像のサイズを制御し、それによって、表示スクリーン１０２と相関して第１の画像の一部を制御するために、本発明の例示的な実施形態に従って用いられることができる。
【０００９】
表示装置は、（矢印１０６で示される）任意の方向における、テーブルまたは他の任意の適切な面などの第１の面１０４に対するムーバブルディスプレイの移動を検出するための手段を備えた図１の実施形態に従って構成されている。例示的なムーバブルディスプレイ１００は、従来のマウスに含まれているようなトランスデューサ１０８を含むように構成され得る。ムーバブルディスプレイ１００の検出された移動を図１Ａのデジタル的に格納された画像上の位置と相関させることによって、その位置に関連する情報が抽出され、表示スクリーン１０２に提示され得る。
【００１０】
言うまでもなく、ムーバブルディスプレイを用いてどの画像をナビゲートするのかをムーバブルディスプレイにまず決定させるための手段が設けられていてもよい。例えば、所定のデータベースに格納されている各画像は、ユーザがキーボードを介してムーバブルディスプレイにまずキー入力することができる関連コード（例えば、識別番号）を有し得る。あるいは、各画像に対応する物理的文書は、それぞれ、ムーバブルディスプレイに含まれるバーコードリーダー（ＢＣＲ）１１２によって読み出され得るバーコードを含むことができる。特定の文書を識別するために、入手が簡単な既知の画像認識システムを用いることもできる。どの画像をナビゲートするのかを決定すると、表示スクリーンは、データベースからその画像に対応する情報にアクセスするために用いられ得る。
【００１１】
画像内の初期位置にムーバブルディスプレイを位置合わせする必要はない。なぜなら、目的とするのは、ムーバブルディスプレイの相対的な位置だけであるからである。例えば、ムーバブルディスプレイは、ナビゲートする画像をまず検出した後、ムーバブルディスプレイを用いてナビゲートするための開始位置を選択するように起動（例えば、押下）される（従来のマウスの左ボタンと同様の）位置合わせキー１１４を備えることができる。画像に対するディスプレイの位置は、ディスプレイが面１０４内を移動する際に追跡され得る。当業者は、面に対する、すなわち、画像に対するムーバブルディスプレイの相対的な位置が確認されることだけが必要であることを理解するであろう。
【００１２】
面に対するムーバブルディスプレイの移動を検出ための手段が設けられると、この検出された移動は、表示スクリーン１０２上に提示される図１Ａの画像を格納するデータベースから情報にアクセスするために用いられ得る。このため、図１の例示的なムーバブルディスプレイ１００は、ムーバブルディスプレイの検出された移動と、図１Ａの画像を表すものとしてデータベースに格納されている情報（すなわち、デジタルコンテンツ）とを相関させるための、プロセッサ（ＣＰＵ）１１８および関連のメモリ１２０などの手段を有する。ある意味では、ムーバブルディスプレイはポインティング装置として作用し、これによってユーザは画像上の所定の位置をポイントし、画像上のその点に対応するリモート位置から情報にアクセスすることができる。
【００１３】
例えば、入手が簡単なＪｏｒｎａｄａ  ５４０シリーズ装置に含まれるプロセッサおよび関連のメモリ、または他の任意の適切なプロセッサおよびメモリは、ムーバブルディスプレイの検出された移動を、所定のデータベースアドレス、ＵＲＬアドレス、または他の場所に格納されている情報への他の任意の所望のリンクでアクセスされた表示画像中の移動に変換するために用いることができる。画像上の特定の点に関連するリンクにおいて得られる情報もまた、アクセスおよび検索され、表示スクリーン１０２に表示することができる。情報は、テキストに基づいた情報、数値情報、図形情報、またはそれらの任意の組み合わせを含むことができる。この表示された情報は、ウェブページなどの情報のブロックへのアクセスを含み、次に、ムーバブルディスプレイ１００に含まれるキーまたはボタンを用いてさらに探索され得る。例えば、ムーバブルディスプレイを用いたページの選択に基づいて特定のウェブページにアクセスしたユーザは、ディスプレイを用いてウェブページ内を移動し、他のウェブページにアクセスすることができる。
【００１４】
例えば、ナビゲートする画像が、図１Ａに示されるような従来のキーボードの画像であると想定しよう。画像全体は、キーボードに対応するか、または少なくとも部分的に図１Ａのキーボードをサブ画像として含む任意の画像に対応し得る。（例えば、ムーバブルディスプレイ上でハードウェアキーを起動させることにより）画像に対するムーバブルディスプレイの相対的な位置が合わせられると、面１０４上のムーバブルディスプレイの移動を追跡することができる。この移動は、画像の完全なバージョンを含むデータベースまたはインターネットサイトと相関させられ得る。さらに詳細には、ムーバブルディスプレイの移動は、画像の一部が格納されているアドレスと相関させられ、アクセスされて表示スクリーン１０２上に表示され得る。例示的な実施形態は、任意の所望の形態での任意の所望の出力情報に対するムーバブルディスプレイの移動の相関関係を提供するように構成することが可能である。ユーザが望むような様式で画像の部分を確実にムーバブルディスプレイ上に配向させるために、面に対するディスプレイの正確な向きを検出することもできる。これは、例えば、面に対する表示スクリーンの向きの変化が決定され得るように、面１０４に対するムーバブルディスプレイ１００の十分な位置座標を追跡することによって成し遂げられる。
【００１５】
表示スクリーン１０２が面１０４上で移動する間、データベースは、繰り返しリアルタイムでアクセスされ、表示スクリーンは更新され、画像の任意の部分がオンザフライ表示されることができる。ある意味では、表示スクリーンは、「レンズ」が面内を移動すると、画像の任意の所望される部分を、任意の所望の拡大／縮小率で、ユーザに提示するための「レンズ」または拡大ガラスとして作用する。
【００１６】
言うまでもなく、情報が表示される正確な様式は、ここでは言及できないほど多様に変更されるが、当業者には容易に明白となる。同様に、正確な提示も、多様に変更され得る。
【００１７】
他の実施形態では、様々な機能を可能にするためのハードウェアキーをムーバブルディスプレイ上に設けることができる。例えば、上記のように、表示画像の倍率の拡大／縮小を可能するためのハードウェアキー１１６を設けることができる。同様に、表示画像の回転を可能にするためのキー、表示画像の色を制御するためのキー、表示テキストのフォントを制御するためのキー、または表示テキスト、数値、音声、触覚、またはグラフィカル情報の任意の他の特性を変更するためのキーを設けることもできる。表示画像に関連するさらなる情報にさらにアクセスするためのキーを設けることもできる。例えば、ソフトウェアキーボードが表示される図１の例の状況では、ムーバブルディスプレイ上に設けられたハードウェアまたはソフトウェアキーを用いて、別個のディスプレイに対してキーボード上でポイントされたキーを起動させる（例えば、キーボード機能を実行する）ことができる。ムーバブルディスプレイをキーボードの所望のソフトウェアキーが表示される位置に配置し、（例えば、マウスキーに類似した）ハードウェアキーまたは（例えば、タッチセンシティブスクリーンを用いる）ムーバブルディスプレイ上のソフトウェアキーを起動させることにより、キーに関連する特定の文字をコンピュータシステム（例えば、デスクトップコンピュータ内に表示されるワード処理文書に）タイプすることができる。ムーバブルディスプレイは、限定はされないが、表示画像のワードの辞書定義にアクセスすること、目的とする他のアドレスにリンクすること等を含む、さらなる任意の所望される機能を含むことが可能である。
【００１８】
ムーバブルディスプレイは、オンボードデータベースを介して（前述の例でナビゲートしたキーボードの画像などの）情報にアクセスすることができ、この意味では、ムーバブルディスプレイは、完全に独立言語型であると言える。あるいは、柔軟性を向上させるために、ムーバブル装置は、デスクトップコンピュータまたはサーバと通信する、例えば、インターフェース１２２を介してアクセスされるワールド・ワイド・ウェブに含まれるウェブサイトなどのリモートデータベースへの有線または無線のリンクを含むことができる。このようなインターフェースは周知であるので、本明細書では詳細に説明する必要はない。
【００１９】
図２は、例示的な図１のムーバブルディスプレイ１００のプロセッサ１１８によって実行されるプロセスの例示的なフローチャートを示す。ステップ２０２において、ナビゲートする画像が、例えば、何らかの識別番号、バーコード、または他の文書識別技法を用いて識別される。あるいは、画像は、所望の画像を選択するためにムーバブルディスプレイを用いてナビゲートすることができる（メニューまたは初期キーボードなどの）表示スクリーン１０２上に予め設定され得る。
【００２０】
ステップ２０４では、ムーバブルディスプレイは画像に位置合わせされ、ムーバブルディスプレイの初期位置が確立される。その後、ディスプレイの移動は、ムーバブルディスプレイが面１０４上で再配置される度に追跡され得る。繰り返すが、この位置合わせは、例えば、ムーバブルディスプレイ上のキー１１６の１つを起動させ、初期（０，０）位置を確立することによって成し遂げられ得る。
【００２１】
ステップ２０６では、面１０４に対するムーバブルディスプレイの検出された移動は、画像内の比例した（または、所望に応じて、比例していない）移動に変換される。ステップ２０８では、ムーバブルディスプレイに設けられたトランスデューサ１０８からの出力は、データベースリンク（例えば、データベースアドレス）と相関させられる。例示的な実施形態では、オンボードトランスデューサ１０８は、面１０４上のムーバブルディスプレイの移動を表す出力情報を生成する。メモリ１２０に設けられたルックアップテーブルを用いて、ムーバブルディスプレイは、検出された移動量をアドレスに相関させる（すなわち、間接的なアドレス技法を用いて）。次に、ムーバブルディスプレイ１００のＣＰＵ１１８は、ステップ２１０においてデータベースにアクセスする。繰り返すが、データベースは、オンボードデータベースか、または別のコンピュータもしくはサーバへのインターフェース１２２の有線もしくは無線のリンクを通してアクセスされるデータベースであり得る。例えば、データベースは、インターネットを介してアクセスすることができる。
【００２２】
ステップ２１２では、情報がデータベースから検索され、ムーバブルディスプレイの表示スクリーン１０２に転送される。ステップ２１４では、オンボードプロセッサは、ムーバブルディスプレイがトランスデューサ１０８からの出力に基づいて再配置されたかどうかを判断する。再配置されたと判断されると、ディスプレイの新しい位置は、ステップ２０６において検出され、表示スクリーン１０２は、それに応じて更新される。あるいは、ディスプレイが再配置されていない場合には、表示スクリーンは、前に表示された情報を保持し、ステップ２０６で開始した一連のステップが、ムーバブルディスプレイがさらに移動することによって再び起動されるまで、動作は終了ブロック２１６に進む。
【００２３】
上記の実施形態は、例示を目的としているに過ぎず、他の多くの実施形態も当業者に容易に明白となる。他の実施形態では、面上のムーバブルディスプレイの相対的な移動は、所望の様式で検出され得る。例えば、ムーバブルディスプレイの移動は、限定はされないが、有線または無線リンクを介して、検出された位置変化を（例えば、赤外線リンクを介して）送信するムーバブルディスプレイに関連してパッシブボードを用いることを含む既知の検出技法を用いて、ムーバブルディスプレイの位置をモニターすることによって検出され得る。相対的な位置情報の変化は、任意の既知の位置検出システムを用いて出力され得る。
【００２４】
追跡マークを、面上に配置される透明−半透明シート上／内に確立（例えば、印刷、形成または埋め込み）してもよい。マークは、任意の可視マーク、および／または、例えば、紫外線（ＵＶ）、偏光、マイクロ印刷、光沢度差、導電性変化、絶縁耐力、触知可能な隆起、または他の任意の識別可能なタイプの不可視のマーキングであってよい。
【００２５】
本発明とともに用いることが可能な他の既知の移動検出技法としては、既知のボルタック（ｖｏｒｔａｃ）無線ナビゲーション技法が挙げられ、この技法は、ムーバブルディスプレイ上で赤外線ポートを用いて実施され得る。特に、例として、図３は、固定位置におけるパッシブタブレット３０２上に含まれる複数のダイオード３０４／３０６を示している。ダイオードの１つ３０４は、開始パルスを形成するために用いられるダイオードとして作用し得る。残りのダイオード３０６は、単一のダイオードに隣接して円形に構成され、順次発光し、電気の回転を形成する。ムーバブルディスプレイ１００上に含まれる赤外線検出器３０８は、動き（motion）検出動作の開始として、単一のダイオードからの発光を読み取ることができる。次に、円形に配置されたダイオードは順次発光し、ムーバブルディスプレイ上の検出器は、回転シーケンスにおける各ダイオードからの光が検出される時を読み取ることが可能である。円形に配置された各ダイオードからの発光の検出に対する、単一のダイオード３０４からの初期開始パルスの検出に基づいて、ムーバブルディスプレイは、固定ダイオードに対するその向きを決定し、絶対位置座標における変化による移動を確かめることができる。
【００２６】
他の実施形態によると、面上に書き込まれたまたは埋め込まれた印は、ムーバブルディスプレイの移動を検出するために用いられ得る。例えば、面、または面上に配置されたオーバーレイは、交互の太線および細線などの、ナビゲーション格子線と共に予めプリントされてもよい。面上のムーバブルディスプレイ１００の移動は、検出された太線および細線の数をモニターすることによって追跡され得る。方向の変更は、ムーバブルディスプレイが、細線から太線へ、またはその反対に移行しているかどうかを光学的にモニターすることによって検出され得る。太線および細線は共に、交差格子を形成する水平線３１２および垂直線３１４であり、互いに隣接した線は、間隔を置いて近接され、所望の位置検出解像度を得るようにしている。言うまでもなく、磁気、蛍光、もしくは赤外線インク、または他の任意の可視もしくは不可視インク、または他の印を用いてもよい。全地球測位システム（ＧＰＳ）、レーザ干渉計、レーダ位置決め等の使用を含む既知の技法を用いてもよい。さらに、ディスプレイの相対的な位置は、ジャイロ、追跡ホイールまたはボール、加速度計等の機械的検出器を用いて追跡することもできる。例えば、ソナーまたは表面波位置決めに基づいた音響検出器（defactor）を用いてもよい。
【００２７】
例えば、Agilent Technologies, Inc.から入手可能な固体ＨＤＮＳ−２０００光学マウスセンサとして容易に入手できる光学追跡センサなどの光センサ、または他の任意の追跡システムを用いてもよい。図４Ａは、例示的な実施形態を示し、この実施形態では、追跡センサは、ムーバブルディスプレイ１００に挿入することが可能なモジュラーユニット４０２として構成されている。図４Ｂは、モジュールの後部を示し、光学マウスなどのセンサ４０４が露出され、所定の面に対する表示装置の相対的な動きを追跡するために既知の様式で用いられ得る。
【００２８】
当業者は、表示スクリーン１０２として、入手可能な任意のディスプレイを用いることができることを理解しよう。例えば、任意のフラットパネルディスプレイ、または任意の他のディスプレイが用いられる。さらに、タッチセンシティブディスプレイが用いられてもよく、ユーザによって所望されるすべての機能属性が提供されてよい。例えば、タッチセンシティブディスプレイは、ユーザが、表示画像の特定部分の倍率を拡大または縮小できるように構成され得る。このように、タッチセンシティブディスプレイは、本明細書に記載される任意の機能、または当業者に明白な他の任意の機能を果たすためのボタンを含むように構成され得る。
【００２９】
また、本明細書では、ムーバブルディスプレイ１００を用いた表示画像へのアクセスについて記載したが、当業者は、物理的文書上のムーバブルディスプレイの所定の位置に対応する音声出力を提供するために、音声データベースにアクセスすることもできることを理解するであろう。例えば、図１の例において、ムーバブルディスプレイ１００を用いたデータベースへのアクセスによって、音声が出力され得る。当業者は、キーボードの各文字に関連する音声は、データベースに格納され、物理的文書上の特定の位置におけるムーバブルディスプレイの「ポインティング」に基づいて容易にアクセスできることを理解するであろう。さらに、触知可能な出力（例えば、マウスの振動）は、文書上のムーバブルディスプレイの位置に基づいて、触知可能なフィードバックの例示的な形態として提供され得る。例えば、Ｌｏｇｉｔｅｃｈ  Ｃｏｒｐ．は、このような特徴を提供するために、本発明に従って用いられる振動能力を有するマウスを製造する。
【００３０】
他の例示的な実施形態によると、画像の変形された表示は、サイズの小さいディスプレイを用いてナビゲートされる画像全体をユーザが見ることができるようにすることによって、ユーザが画像をナビゲートするのを助けるために用いられる。ユーザにとって見ることが困難な縮小された倍率で全体画像を生成させることを必要とせずに、比較的小さな表示スクリーンにはるかに大きな画像を表示させるために、本発明の例示的な実施形態は、画像の少なくとも一部を湾曲させるように構成され得る。例えば、ユーザが早急には関心を持たない画像の部分を圧縮し、画像の残りの部分は通常の解像度で表示することができる。
【００３１】
図５は、（アクセスされたばかりのウェブページなどの）表示される画像が、表示装置１０４の表示スクリーン１０２の縁部で湾曲される一例を示している。これは、例えば、縁部において精細になるように構成された格子を有する湾曲されたマップを用いて成し遂げられ得る。図５の例に示されるように、得られる画像は、画像の中央５０２において、高解像度および平坦な構造を有しており、縁部５０４においては、より低い解像度および丸みを帯びた構造を有するように圧縮されている。このように、画像の中央などの画像の第１の部分は、通常の解像度で表示され、画像の周囲などの画像の第２の部分は湾曲される（例えば、第１の部分が表示される低い解像度で表示される）。ムーバブルディスプレイ１００が所定の面に対して移動すると、通常のように見える画像の部分に対する湾曲される画像の部分は、表示装置の移動に従って変更され得る。これにより、表示装置の比較的小さなディスプレイ上に表示される、より大きな画像内のナビゲーションが容易になる。
【００３２】
例示的な実施形態では、上記の効果は、複数の解像度で全体画像をまずコピーし、画像の所望の部分が異なる解像度のいずれかで表示されるようにすることで成し遂げられ得る。表示中、表示スクリーンの所定の部分（例えば、所望のサイズの中央部）は、通常の解像度で現れる画像の部分を表示するように設定することが可能である。表示スクリーンの残りの部分は、低い解像度で現れる画像の部分を表示するように設定することができる。
【００３３】
あるいは、水平線および垂直線を保持するようにして画像を拡大するために、任意のデジタルまたは光学技法を用いることができる。例えば、画像は、２つの独立関数ｘおよびｙである一対の変換を用いて再度サンプリングされ得る。ｘ，ｙの座標を有する任意の点に対して、再度サンプリングされた画像点ｘ’，ｙ’は、ｘ’＝ｆ１（ｘ）およびｙ’＝ｆ２（ｙ）として計算される。新しいｘ座標は、古いｘ座標のみによって求められ、水平線の場合ｙ座標が固定されるため、水平線は、変換後に水平直線として維持される。ｆ１およびｆ２に対して任意の関数が選択され得る。例えば、２つの関数は、同一の滑らかに変化する拡大関数であり得る。作用する１つの関数は、２つの方向において円筒形マッピングを生成するコサイン関数である。関数は、ページ上の関心のある特定領域を拡大するように変更され得る。
【００３４】
拡大は、低解像度の装置上のウェブページを読みやすくするために用いられ得る。画像の中央エリアは、図５の例において拡大され、表示画像（例えば、表示されたウェブページ）の残りの部分は圧縮されているが、表示画像の任意の所望の部分が、空間位置および／または画像コンテンツに基づいて圧縮され得る。例えば、他の実施形態では、テキスト欄を表示するために用いられる表示スクリーンの特定の部分を拡大することができる。拡大は、選択される領域、かつ／またはサムホイール拡大コントローラなどのユーザからの入力によって、および／または画像コンテンツに基づいて、動的に変更され得る。
【００３５】
異なる解像度で画像を格納するために、メモリーバッファを用いることもできる。バッファは、画像の中央（または画像の任意の所望の部分）が、最大の解像度で表示され、画像の外側部分が低い解像度で表示され得るように選択的にアクセスされ得る。あるいは、画像の少なくとも一部を通常の解像度で提供し、残りの部分を低い解像度で表示し、元の画像のより大きな部分が見られるようにするための任意の既知の技法が用いられ得る。
【００３６】
２つの関数ｘ１およびｙ１の選択に基づいて、図５の画像湾曲（ｆｕｎｃｔｉｏｎ  Ｉ２＝ｏｒｔｈｏｍａｇ（Ｉ１）と称する）を実施するために用いることができる例示的なコードセットは、以下のとおりである。
ｆｕｎｃｔｉｏｎ  Ｉ２＝Ｏｒｔｈｏｍａｇ（Ｉ１）
ｄｘ＝１；ｄｙ＝１；ｄ＝．０１；
ｘｍａｘ＝ｓｉｚｅ（Ｉ１，１）；
ｙｍａｘ＝ｓｉｚｅ（Ｉ１，２）；
ａ＝ｓｑｒｔ（ｄ）；
ｂ＝（２＋ｄ）／（２*ａ）；
ｎｘ＝ｆｌｏｏｒ（（ｓｑｒｔ（ｘｍａｘ＋ｂ＾２）−ｂ）／a）；
ｎｙ＝ｆｌｏｏｒ（（ｓｑｒｔ（ｙｍａｘ＋ｂ＾２）−ｂ）／ａ）；
Ｉ２＝ｕｎｉｔ８（ｚｅｒｏｓ（ｎｘ*２，ｎｙ*２，３））；
ｘ２＝１；ｙ２＝１；
ｘ１＝１；ｙ１＝１；
ｆｏｒ  ｘｃ＝−ｎｘ：ｎｘ
ｆｏｒ  ｙｃ＝−ｎｙ：ｎｙ
Ｉ２（ｘ２，ｙ２，：）＝Ｉ１（ｆｌｏｏｒ（ｘ１），ｆｌｏｏｒ（ｙ１），：）；
ｙ１＝ｙ１＋ｄ*ａｂｓ（ｙｃ）＋１；
ｙ２＝ｙ２＋１；
ｅｎｄ
ｙ１＝１；ｙ２＝１；
ｘ１＝ｘ１＋ｄ*ａｂｓ（ｘｃ）＋１；ｘ２＝ｘ２＋１；
ｅｎｄ
【００３７】
本発明に従って表示スクリーン上に情報を提示するために用いることができる他の任意の既知のグラフィカル視覚化技法としては、限定はされないが、Centre for Mathematics and Computer Science (CWI) Information Visualisation Homepageから入手可能なHerman, I.等による「Graph Visualisation and Navigation In Information Visualisation」という名称の文献、およびIEEE Transactions on Visualization and Computer Graphics、6(1), 24-43頁, 2000年に公開されている同様の文献に記載されているものが挙げられる。同様に、the Department of Computer Science, University of CalgaryのSaul Greenbergによる文献「A Fisheye Text Editor for Relaxed WYSIWIS Groupware」、1996年, ACM SIGCHI 1996 Conference on Human Factors in Computing Systems, Companion Proceedings, 212-213頁に記載されている技法も用いられ得る。上記の文献の開示はすべて、本明細書に参照により援用される。
【００３８】
当業者は、はるかに大きな画像の部分を見てナビゲートするための「レンズ」を提供することによって、本発明の例示的な実施形態は、画像に対する関連情報の無限のデータベースへのアクセスを可能にすることを理解するであろう。例示的な実施形態によると、比較的小さなディスプレイで、ユーザは、はるかに大きな仮想の作業スペースを見ることができる。
【００３９】
さらに、本発明の例示的な実施形態は、ムーバブルディスプレイをデスクトップコンピュータに接続することに関連して記載されているが、限定はされないが、ラップトップもしくはノートブック型コンピュータ、携帯情報端末（ＰＤＡ）、無線電話、または他の任意の所望の装置を含む任意の装置に接続されてもよい。同様に、ムーバブルディスプレイは、ユーザによって望まれる任意のサイズに構成され、図１の例示的な実施形態は、図示される相対的なサイズに限定されない。
【００４０】
本発明を例示的な実施形態を参照しながら示し記載したが、形態および詳細の他の様々な変更が本発明の精神および範囲から逸脱せずになされ得ることは、当業者であれば理解するであろう。
【図面の簡単な説明】
【００４１】
【図１Ａ】本発明によるムーバブルディスプレイの例示的な実施形態の概観を示す図である。
【図１Ｂ】本発明によるムーバブルディスプレイの例示的な実施形態の概観を示す図である。
【図２】図１のムーバブルディスプレイに関連する動作の例示的なフローチャートである。
【図３】本発明の他の実施形態を示す図である。
【図４Ａ】モジュラーユニットとして構成される動きセンサを含む例示的な実施形態を示す図である。
【図４Ｂ】モジュラーユニットとして構成される動きセンサを含む例示的な実施形態を示す図である。
【図５】他の実施形態による画像の例示的な変形表示を示す図である。
【符号の説明】
【００４２】
１００：ムーバブルディスプレイ
１０２：表示スクリーン
１０４：面
１０８：トランスデューサ
１１４：位置合わせキー
１１８：ＣＰＵ
１２０：メモリ
１２２：インターフェース
【図１Ａ】
2005515479.tif 000003
【図１Ｂ】
2005515479.tif 000004
【図２】
2005515479.tif 000005
【図３】
2005515479.tif 000006
【図４Ａ】
2005515479.tif 000007
【図４Ｂ】
2005515479.tif 000008
【図５】
2005515479.tif 000009
【国際調査報告】
2005515479.tif 000010
2005515479.tif 000011
2005515479.tif 000012